【事件の表示】
特願平１０−３０３７３２号「電気コネクタ」特許異議事件（平成１１年７月３０日出願公開、特開平１１−２０４１８６号）についてした平成１３年８月２日付けの取消決定に対し、東京高等裁判所において取消決定取消し判決（平成１３年（行ケ）第４２６号、平成１４年１１月７日言渡）があったので、更に審理の結果、次のとおり決定する。
【結　論】
　訂正を認める。
　特許第３０５６４７０号の請求項１ないし２に係る特許を維持する。
【理　由】
〔１〕手続の経緯
　特許第3056470号の請求項１〜４に係る発明についての出願は、平成１年６月27日に出願した特願平1-162627号の一部を平成９年４月25日に新たな特許出願とし、更に同出願、すなわち特願平9-109186号の一部を平成10年10月26日に新たな特許出願としたものであって、平成12年４月14日にその発明について特許権の設定登録がされ、その後、その特許の請求項１〜３に係る発明の特許について、異議申立人馬場浩二より特許異議申立がされ、請求項１〜３に係る発明の特許について取消理由通知がされ、その指定期間内である平成13年６月19日に訂正請求がされ、平成13年８月２日付けで取消決定がされ、その後上記判決により取消決定が取消されたものである。
　
〔２〕訂正の適否についての判断
　ア．訂正の内容
　特許権者が求める訂正の内容は、以下a〜ｉのとおりである。
　a．特許請求の範囲の請求項１に記載される
「コネクタハウジング，端子係止具，前記コネクタハウジングに対する前記端子係止具の仮ロック手段及び本ロック手段を備え、前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、前記仮ロック手段が、前記貫通空間に途中挿入された前記端子係止具を保持して、前記端子収容室への前記端子金具の挿抜を許容し、前記本ロック手段が、前記貫通空間に完全挿入された前記端子係止具を保持し、前記第二係止部による二次係止を維持して前記端子金具の後抜けを阻止することを特徴とする電気コネクタ。」を、
「コネクタハウジング，端子係止具，前記コネクタハウジングに対する前記端子係止具の仮ロック手段及び本ロック手段を備え、前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、
前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、
　b．特許請求の範囲の請求項２を削除する。
　c．特許請求の範囲の請求項３を請求項２とし、引用する「請求項２」を「請求項１」に訂正する。
　d．特許請求の範囲の請求項４を請求項３とし、引用する「請求項１〜３」を「請求項１〜２」に訂正する。
　e．発明の詳細な説明中の段落【0026】の「【課題を解決するための手段】上記目的を達成するため、請求項１記載の電気コネクタは、コネクタハウジング，端子係止具，前記コネクタハウジングに対する前記端子係止具の仮ロック手段及び本ロック手段を備え、前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、前記仮ロック手段が、前記貫通空間に途中挿入された前記端子係止具を保持して、前記端子収容室への前記端子金具の挿抜を許容し、前記本ロック手段が、前記貫通空間に完全挿入された前記端子係止具を保持し、前記第二係止部による二次係止を維持して前記端子金具の後抜けを阻止する構成としてある。」を、
「【課題を解決するための手段】上記目的を達成するため、請求項１記載の電気コネクタは、コネクタハウジング，端子係止具，前記コネクタハウジングに対する前記端子係止具の仮ロック手段及び本ロック手段を備え、前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、
前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、
　f．発明の詳細な説明中の段落【0029】の記載を削除し、段落【0030】の記載を「
また、
　g．発明の詳細な説明中の段落【0031】の記載を「請求項
２
　h．発明の詳細な説明中の段落【0033】の記載を「請求項
３
　ｉ．発明の詳細な説明中の段落番号【0032】、段落番号【0035】〜【0074】をそれぞれ【0031】、【0034】〜【0073】として繰り上げる。
　
　イ．訂正の目的、新規事項の有無及び拡張・変更の存否
　上記aの訂正事項に関連する記載として、願書に添付された明細書（以下、「特許明細書」という。）の請求項２には「前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、これら端子金具を二次係止する請求項１記載の電気コネクタ。」と記載されているところから、「前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し」た点は、特許明細書に記載されているものと認める。
　そうすると、上記aの訂正は、特許明細書に記載された事項の範囲内において電気コネクタを限定したものといえるから、特許請求の範囲の減縮を目的とするものであり、新規事項の追加に該当しない。
　上記bの訂正は、請求項の削除であるから、特許請求の範囲の減縮を目的とするものであり、新規事項の追加に該当しない。
　上記c，dの訂正は、請求項２の削除に伴い、請求項３、４を、それぞれ１つずつ繰り上げるものであるから、明りょうでない記載の釈明を目的とするものと認められ、新規事項の追加に該当しない。
　上記e〜ｉの訂正は、上記a〜dの特許請求の範囲の訂正に伴い、明細書の記載事項を整合させるためのものであるから、明りょうでない記載の釈明を目的とするものと認められ、新規事項の追加に該当しない。
　そして、上記いずれの訂正も実質上特許請求の範囲を拡張し、又は変更するものでもない。
　
　ウ．独立特許要件について
　訂正後の請求項３に係る発明は、特許異議申立てがされていない請求項であり、上記ａ〜ｃの訂正に伴って訂正されたものであるが、特許請求の範囲の減縮を目的として訂正された訂正後の請求項１〜２に係る発明を具体的に更に限定するものであるので、該訂正は、特許請求の範囲の減縮を目的としたものに該当する。したがって、訂正後の請求項３については、独立特許要件を判断する必要があるが、後記〔３〕エ．に示すように訂正後の請求項１〜２が特許を受けることができるものであるから、訂正後の請求項３は出願の際独立して特許を受けることができるものである。
　
　エ．むすび
　以上のとおりであるから、上記訂正は、特許法等の一部を改正する法律（平成６年法律第116号）附則第６条第１項の規定によりなお従前の例によるとされる、特許法第120条の４第３項で準用する平成６年法律第116号による改正前の特許法第126条第１項ただし書、第２項、及び第３項の規定に適合するので、当該訂正を認める。
　
〔３〕特許異議の申立てについての判断
　ア．本件発明
　上記〔２〕で示したように上記訂正が認められるから、本件請求項１、２に係る発明（以下、「本件発明１」、「本件発明２」という。）は、上記訂正に係る訂正明細書の特許請求の範囲の請求項１、２に記載された次のとおりのものである。（なお、請求項３に係る発明（特許明細書の請求項４に係る発明）は、異議申立てされていない。）
【請求項１】「コネクタハウジング，端子係止具，前記コネクタハウジングに対する前記端子係止具の仮ロック手段及び本ロック手段を備え、前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、前記仮ロック手段が、前記貫通空間に途中挿入された前記端子係止具を保持して、前記端子収容室への前記端子金具の挿抜を許容し、前記本ロック手段が、前記貫通空間に完全挿入された前記端子係止具を保持し、前記第二係止部による二次係止を維持して前記端子金具の後抜けを阻止することを特徴とする電気コネクタ。」
【請求項２】「前記端子係止具の前記第二係止部が、二以上の前記当接面を有し、前記貫通空間に前記端子係止具を完全挿入させたとき、各当接面が前記端子金具に当接し、これら端子金具を多重に二次係止する請求項１記載の電気コネクタ。」
　
　イ．申立ての理由の概要
　特許異議申立人馬場浩二は、請求項１〜３（訂正後の請求項１及び２に相当）に係る発明は、甲第１号証（特開昭64-54677号公報）、甲第２号証（欧州特許出願公開第317755号公報）に記載された発明に基づいて当業者が容易に発明をすることができたものであるから、特許法第29条第２項の規定により特許を受けることができず、当該特許は取り消されるべきであると主張する。
　
　ウ．甲号各証に記載された発明
　a．甲第１号証（特開昭64-54677号公報）には、コネクタに関して第１〜５図とともに下記の事項が記載されている。
(1)「本発明のコネクタＡは、絶縁ハウジング１内のターミナル収容室２とターミナル３との間に係止手段2a，3aを設けると共に、絶縁ハウジング１の外周壁1aにターミナル収容室２と連通する貫通孔６を設け、該貫通孔６から差込んだ挿入ピン８をターミナル３と係合させてターミナルの抜け止めを二重に行うようにしたコネクタにおいて、前記挿入ピン８と絶縁ハウジング１の間にロック機構を設けると共にターミナル２と係合する可撓性の係止アーム11を設け、該可撓性の係止アーム11がターミナル３の第２係止部５と弾性的に接触し、ターミナル３の抜け出しとガタツキを同時に阻止し得るようにした構成を有する。第１図において、３′はターミナル３と同様に相手タブを受入れる筒形の電気接触部４をもつ、大きさの異なる雌型のターミナルであり、各ターミナル３，３′の電気接触部４の後部両側において、その底壁から第２係止部としての係止片５が一体に切起し形成されている。異種のターミナル３，３′に対応して、絶縁ハウジング１には二種のターミナル収容室２，２′が形成され、コネクタＡは雄型の複合コネクタとして形成されている。そして、各ターミナル収容室２，２′の底壁から一体に突設された可撓性の係止アーム2aとターミナル３，３′の電気接触部４の底壁に設けた第１係止部としての係止孔3aとが両者間の係止手段2a，3aを構成している。また、絶縁ハウジング１の外周壁1aには凹部12が形成され、該凹部12の底壁12aに前記貫通孔６が設けられると共に、各貫通孔の孔縁6aに臨んでロック部７が凹部12の側壁12bからターミナル収容室２（２′）の軸方向と直交する方向にのび、かつ上下に弾性変位するように可撓性を有して形成されている。挿入ピン８は板状であり、並設されたターミナル収容室２，２′と対応してその頭部が連結板13により結合された連鎖体として形成されている。各挿入ピン８の頭部、図示の例では連結板13と一体に前記ロック部７と係合する本ロック片９が突設され、該本ロック片９の下方に孔縁6aと係合する仮ロック片10が突設されると共に、挿入ピン８の側壁に前記ターミナル３の係止片５と係合する可撓性の係止アーム11が各ターミナル収容室２（２′）に対応して多段に設けられている。」（第２頁右上欄第10行〜右下欄第14行）
(2)「そして、絶縁ハウジング１のロック部７と、挿入ピン８の本ロック片９および仮ロック片10とが、絶縁ハウジングと挿入ピンの間の二段ロック機構を形成している。」（第２頁右下欄第18行〜第３頁左上欄第１行）
(3)「挿入ピン８を貫通孔６に差込むと、本ロック片９がロック部７と当接して該ロック部７をやや下方に撓ませると共に、仮ロック片10がターミナル収容室２の孔縁6a（図示の例では、孔縁6aに臨むロック部７の裏面）と係合し、挿入ピン８が仮ロックされる。このように挿入ピン８が仮ロック位置にあると、その係止アーム11はターミナル収容室２（２′）の内部とは離れて位置するから、ターミナル３（３′）を自由に挿入抜去することができる。次いで、ターミナル３を完全に挿入して、前記係止手段2a，3aにより一次係止した後で、第４図および第５図に示す如く、挿入ピン８を再度押し込むと、本ロック片９がロック部７を更に押圧して撓ませ、遂にはこれを乗り越えて該ロック部７と凹部12の底壁12a間に進入し、挿入ピンが本ロックされる。」（第３頁左上欄第15行〜右上欄第11行）
　
　b．甲第２号証（欧州特許出願公開第317755号公報）には、電気コネクタに関して、FIG.１〜FIG.９とともに以下の事項が記載されていると認められる。
(1)「Fig.1ないしFig.5の実施例において、主ハウジング11には凹部14が設けられ、第２ハウジングを形成するスライダ12が挿入される。この凹部14は、Fig.4に示されるように、底壁15によって閉鎖され、Fig.4の点線により示される軸16に沿った通路13を遮る。これにより、通路13は二つの部分17、18に分離され、カバー板における通路17は主ハウジング11のカバー板32に形成され、基部板における通路18は基部板33に形成される。カバー板及び基部板32、33の双方は垂直壁34により連結されて、凹部14を囲む。主ハウジング11及びスライダ12は、射出成形により絶縁性プラスチックで形成される。垂直壁34は、全体の一部として形成される部分35、36をその外側に有し、図示されていない取付ユニット内にハウジング11、12を配置する機能を果たす。」（第４欄第45行〜第５欄第11行）
(2)「スライダ12は多数の通路19からなり、これらは通路13の配置に合わせて配置される。通路は、その中に挿入されるFig.3aおよびFig.3bの接触部材20の位置決めの作用をなす。この目的のため、ハウジング11がFig.4に図示されるように互いに位置決めされるまで、スライダ12がFig.1の挿入矢印37の方向に挿入される。これはスライダ12の中間位置を示している。この中間位置は、スライダ12および主ハウジング11間のラッチ手段により決定される。」（第５欄第12〜25行）
　
　エ．対比・判断
　a．本件発明１について
　そこで、本件発明１と甲第１号証に記載された発明を対比すると、後者の「絶縁ハウジング１」、「挿入ピン８」、「仮ロック片」、「本ロック片」、「ターミナル収容室」、「ターミナル３」、「係止アーム2a」、「係止アーム11」は、前者のそれぞれ「コネクタハウジング」、「端子係止具」、「仮ロック手段」、「本ロック手段」、「端子収容室」、「端子金具」、「第一係止部」、「第二係止部」に相当するものと認められるから、
　両者は「コネクタハウジング、端子係止具、前記コネクタハウジングに対する前記端子係止具の仮ロック手段及び本ロック手段を備え、前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記端子係止具が、完全挿入されたとき、全ての前記端子収容室内に一次係止された前記端子金具に当接し、これら端子金具を二次係止する第二係止部とを有し、前記仮ロック手段が途中挿入された前記端子係止具を保持して、前記端子収容室への前記端子金具の挿抜を許容し、前記本ロック手段が、完全挿入された前記端子係止具を保持し、前記第二係止部による二次係止を維持して前記端子金具の後抜けを阻止することを特徴とする電気コネクタ」の点で一致しており、以下の点で相違している。
（相違点１）
　コネクタハウジングの下壁の前後方向における中間部において、前者は、「最上段を除く全ての隔壁」を貫通したのに対し、後者は、その構成を有していない点、
（相違点２）
　前者は、コネクタハウジングが「下壁の前後方向における中間部において前記下壁から全ての中間壁を貫通し、最上段の端子収容室に連通する一連の貫通空間とを有し、端子係止具が、コネクタハウジングから前記貫通空間として欠如した部分とほぼ対応する格子状となって」いるのに対し、後者は、複数の貫通孔６が互いに分離して一連になっておらず、また挿入ピン８が格子状ではなく櫛歯状であって二以上の蓋体を有していない点。
（相違点３）
　前者は、「前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、これら端子金具を二次係止する」のに対し、後者は、その構成を有していない点。
　
　そこで、上記相違点について検討する。
　上記相違点１についてみると、甲第２号証は「下壁の前後方向における中間部において前記下壁から全ての中間壁及び隔壁を貫通し、最上段の端子収容室に連通する一連の貫通空間とを有」する構成を開示しているものの、下壁の前後方向における中間部において、「最上段を除く全ての隔壁」を貫通した点は、甲第２号証には、記載されていないばかりでなく、示唆もされていない。
　また、上記判決が言及するように、実願昭62-153989号（実開平1-60474号）のマイクロフィルムには、「次いで、スペーサ１の連結板２を強圧して更に押し込むと、スペーサ側面の係止突起４が収容室６内に突入し」（７頁16行〜18行）と記載されていることから、第３図において係止突起４の先端は収容室６、６間の仕切壁６ｃを越え、下方の収容室６内に突入していることが認められる。これによれば、上記刊行物のものにおいて、スペーサ１が下方側の収容室６の上部で止まっているということはできず、下方側の収容室６、６の間の隔壁、すなわち最上段の隔壁が当然残っているということもできないから、上記刊行物にコネクタにおいて「最上段を除く」隔壁を切欠く技術が記載されているということはできない。
　そして、この点により本件発明１は、特許明細書【0027】に記載された格別の作用効果を奏すると認められる。
　そうすると、上記相違点２、３を検討するまでもなく、本件発明１は、甲第１号証、甲第２号証等に基づいて当業者が容易に発明をすることができたものとすることはできない。
　
　b．本件発明２について
　本件発明２は、本件発明１に「前記端子係止具の前記第二係止部が、二以上の前記当接面を有し、前記貫通空間に前記端子係止具を完全挿入させたとき、各当接面が前記端子金具に当接し、これら端子金具を多重に二次係止する」点を追加して、特許請求の範囲を更に減縮するものであるが、本件発明１が、甲第１号証、甲第２号証等に基づいて当業者が容易に発明をすることができたものとすることはできない以上、本件発明２も、甲第１号証、甲第２号証等に基づいて当業者が容易に発明をすることができたものとすることはできない。
　
〔４〕むすび
　以上のとおりであるから、特許異議申立ての理由及び証拠によっては、本件発明１、２についての特許を取り消すことはできない。
　また、他に本件発明１、２についての特許を取り消すべき理由を発見しない。
　したがって、本件発明１、２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年８月２日（２００１．８．２）
【訂正の要旨】
　▲１▼　特許第３０５６４７０号明細書における特許請求の範囲の【請求項１】を下記の如く訂正する。
　　　記
　【請求項１】　コネクタハウジング，端子係止具，前記コネクタハウジングに対する前記端子係止具の仮ロック手段及び本ロック手段を備え、
　前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、
　前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、
　前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、
　前記仮ロック手段が、前記貫通空間に途中挿入された前記端子係止具を保持して、前記端子収容室への前記端子金具の挿抜を許容し、
　前記本ロック手段が、前記貫通空間に完全挿入された前記端子係止具を保持し、前記第二係止部による二次係止を維持して前記端子金具の後抜けを阻止することを特徴とする電気コネクタ。
　▲２▼　同上特許明細書における特許請求の範囲の【請求項２】を削除する。
　▲３▼　同上特許明細書における特許請求の範囲の【請求項３】を【請求項２】に訂正する。
　▲４▼　同上特許明細書における特許請求の範囲の【請求項４】を【請求項３】に訂正する。
　▲５▼　同上特許明細書の段落番号【００２６】の記載を下記の如く訂正する。
　　　記
　【００２６】
　【課題を解決するための手段】
　上記目的を達成するため、請求項１記載の電気コネクタは、コネクタハウジング，端子係止具，前記コネクタハウジングに対する前記端子係止具の仮ロック手段及び本ロック手段を備え、前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、前記仮ロック手段が、前記貫通空間に途中挿入された前記端子係止具を保持して、前記端子収容室への前記端子金具の挿抜を許容し、前記本ロック手段が、前記貫通空間に完全挿入された前記端子係止具を保持し、前記第二係止部による二次係止を維持して前記端子金具の後抜けを阻止する構成としてある。
　▲６▼　同上特許明細書の段落番号【００２９】の記載を削除し、段落番号【００３０】の記載を下記の如く訂正する。
　　　記
　【００３０】
　また、第二係止部の、端子金具の端子収容室への挿入方向を向く当接面（すなわち、コネクタハウジングの前方を向く面）が、端子収容室に収容された端子金具に当接して、該端子金具の後抜けを確実に防止できる。
　▲７▼　同上特許明細書の段落番号【００３１】の記載を下記の如く訂正する。
　　　記
　【００３１】
　請求項２記載の電気コネクタは、前記端子係止具の前記第二係止部が、二以上の前記当接面を有し、前記貫通空間に前記端子係止具を完全挿入させたとき、各当接面が前記端子金具に当接し、これら端子金具を多重に二次係止する構成としてある。
　▲８▼　同上特許明細書の段落番号【００３３】の記載を下記の如く訂正する。
　　　記
　【００３３】
　請求項３記載の電気コネクタは、前記仮ロック手段及び前記本ロック手段が、前記コネクタハウジングの内部で、前記端子係止具を仮ロック及び本ロックする構成としてある。
（５４）【発明の名称】
電気コネクタ
（５７）【特許請求の範囲】
　【請求項１】　コネクタハウジング，端子係止具，前記コネクタハウジングに対する前記端子係止具の仮ロック手段及び本ロック手段を備え、
　前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、
　前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、
　
前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、
　前記仮ロック手段が、前記貫通空間に途中挿入された前記端子係止具を保持して、前記端子収容室への前記端子金具の挿抜を許容し、
　前記本ロック手段が、前記貫通空間に完全挿入された前記端子係止具を保持し、前記第二係止部による二次係止を維持して前記端子金具の後抜けを阻止することを特徴とする電気コネクタ。
　【請求項２】　前記端子係止具の前記第二係止部が、二以上の前記当接面を有し、前記貫通空間に前記端子係止具を完全挿入させたとき、各当接面が前記端子金具に当接し、これら端子金具を多重に二次係止する請求項
１
　【請求項３】　前記仮ロック手段及び前記本ロック手段が、前記コネクタハウジングの内部で、前記端子係止具を仮ロック及び本ロックする請求項１〜
２
【発明の詳細な説明】
　【０００１】
　【発明の属する技術分野】
　本発明は、端子金具をコネクタハウジングに二重係止するための端子係止具を備えた電気コネクタに関し、特に、コネクタハウジングと端子係止具の構造的重複を極力排除することにより、材料の有効利用と小型化を図ることができ、また、構成の簡単化と強度の向上等を図ることができる電気コネクタに関する。
　【０００２】
　【従来の技術】
　従来から電気コネクタでは、コネクタハウジングの端子収容室内に可撓係止腕を一体的に設け、該可撓係止腕によって端子収容室に挿入された端子金具を係止し、端子収容室からの抜けを防止していた。
　【０００３】
　しかし、可撓係止腕の大きさや強度が端子収容室の寸法などに制約されるため、可撓係止腕のみでは端子金具の係止力が不十分な場合があった。
　そこで、近年、コネクタハウジングに別部品である端子係止具を組み合わせ、該端子係止具と前記可撓係止腕とによって端子金具を二重係止し、端子収容室からの抜けをより確実に防止できるようにした電気コネクタが提案されている。
　【０００４】
　以下、図５及び図６を参照しつつ、端子係止具を備えた従来の電気コネクタについて説明する。
　【０００５】
　図５は従来の電気コネクタを示す分解斜視図である。
　また、図６（ａ）は上記電気コネクタにおける端子係止具の仮ロック状態を示す斜視図であり、図６（ｂ）は上記電気コネクタにおける端子係止具の本ロック状態を示す斜視図である。
　【０００６】
　図５において、従来の電気コネクタは、主として、合成樹脂製のコネクタハウジング１１０と端子係止具１２０とからなり、コネクタハウジング１１０に対して端子係止具１２０を仮ロックする手段及び本ロックする手段を備えた構成となっている。
　【０００７】
　コネクタハウジング１１０には、多段に配設された複数の端子収容室１１１が設けてあり、各端子収容室１１１の内部には、図示しない可撓係止腕が一体成形してある。
　【０００８】
　該コネクタハウジング１１０の前面には、端子係止具１２０を取り付けるための枠状の取付部１１２が一体成形してある。
　該取付部１１２の上部には、端子係止具１２０を挿入するための挿入口１１２ａが設けてあり、また、両側壁１１２ｂ，１１２ｂの内側上部には、挿入口１１２ａに挿入された端子係止具１２０を案内するためのガイド溝１１３，１１３が形成してある。
　【０００９】
　端子係止具１２０の仮ロック手段として、両側壁１１２ｂ，１１２ｂの中央には、弾性を有するラック片１１４，１１４が設けてある。
　【００１０】
　端子係止具１２０の本ロック手段として、取付部１１２の上壁１１２ｃには、二つのロック溝１１５，１１５が形成してあり、また、両側壁１１２ｂ，１１２ｂの内側下部には、ガイド溝１１３，１１３より狭幅なロック溝１１６，１１６が形成してある。さらに、該ロック溝１１６，１１６の近傍には、突起１１７，１１７が突設してある。
　【００１１】
　一方、端子係止具１２０には、コネクタハウジング１１０の全ての端子収容室１１１に対応する複数の開口部１２１…が多段に配設してある。
　【００１２】
　各開口部１２１は、端子係止具１２０が、図６（ａ）に示す仮ロック状態となったときに各端子収容室１１１に完全一致し、また、端子係止具１２０が、図６（ｂ）に示す本ロック状態となったときに各端子収容室１１１と不一致となるようにしてある。
　【００１３】
　仮ロック手段として、端子係止具１２０の両側には、前記ラック片１１４，１１４にかみ合うラック面１２４，１２４が設けてある。
　【００１４】
　本ロック手段として、端子係止具１２０の上縁には、前記ロック溝１１５，１１５に嵌合する二つの突起１２５，１２５が突設してある。また、端子係止具１２０の両側上部には、前記ガイド溝１１３，１１３に案内され、かつ、該ガイド溝１１３，１１３の終端に嵌合する突起１２６，１２６が突設してある。さらに、端子係止具１２０の両側下部には、前記突起１１７，１１７と嵌合するロック溝１２７，１２７が形成してある。
　【００１５】
　このような構成からなる従来の電気コネクタでは、まず、突起１２６，１２６をガイド溝１１３，１１３に沿わせつつ、コネクタハウジング１１０の取付部１１２に端子係止具１２０を挿入すると、挿入途中でラック面１２４，１２４がラック片１１４，１１４にかみ合い、端子係止具１２０が図６（ａ）に示す仮ロック状態となる。
　【００１６】
　かかる仮ロック状態では、端子係止具１２０の各開口部１２１が、コネクタハウジング１１０の各端子収容室１１１に完全一致する。
　このとき、コネクタハウジング１１０の後側から各端子収容室１１１に図示しない端子金具を挿入する。該端子金具は、端子収容室１１１内の前記可撓係止腕に係止され、コネクタハウジング１１０の後方への抜けが阻止される。
　【００１７】
　次いで、コネクタハウジング１１０の取付部１１２に端子係止具１２０を完全挿入すると、ラック面１２４，１２４とラック片１１４，１１４のかみ合いがずれ、端子係止具１２０の突起１２５，１２５、突起１２６，１２６、ロック溝１２７，１２７がそれぞれ、コネクタハウジング１１０のロック溝１１５，１１５、ロック溝１１６，１１６、突起１１７，１１７に嵌合する。
　これにより、端子係止具１２０が図６（ｂ）に示す本ロック状態となる。
　【００１８】
　かかる本ロック状態では、端子係止具１２０の各開口部１２１が、コネクタハウジング１１０の各端子収容室１１１に不一致となる。
　これにより、各端子収容室１１１が端子係止具１２０によって部分的に塞がれ、前記端子金具の、コネクタハウジング１１０の前方への抜けが阻止される。
　【００１９】
　【発明が解決しようとする課題】
　ところが、上述した従来の電気コネクタでは、コネクタハウジング１１０に取付部１１２を増設し、コネクタハウジング１１０の断面形状とほぼ同じ形状の端子係止具１２０を取り付ける構成としてあったので、コネクタハウジング１１０と端子係止具１２０が構造的に重複しており、材料の無駄が生じるという問題があった。
　【００２０】
　また、コネクタハウジング１１０の全ての端子収容室１１１に対応する開口部１２１を端子係止具１２０に配設した構成としてあったので、端子係止具１２０が無意味に大型化してしまうという問題があった。
　【００２１】
　さらに、端子係止具１２０を受けるための薄肉の取付部１１２をコネクタハウジング１１０の前面に設けなければならず、コネクタハウジング１１０の構成が複雑化するとともに、局所的な強度の低下をまねくという問題もあった。
　【００２２】
　これに加えて、仮ロック手段を構成するラック片１１４，１１４や、本ロック手段を構成するロック溝１１５，１１５、突起１２５，１２５等がコネクタハウジングの外部に露出させていたため、外衝等によって端子係止具１２０のロックが不用意に解除されてしまう場合があり、また、意匠的にも好ましくなかった。
　【００２３】
　なお、本出願人は、特開昭６４−５４６７７号及び特開昭６４−５４６７８号において、コネクタハウジング内に櫛歯状の端子係止具を挿入して、各端子収容室に収容された端子金具を二重係止する電気コネクタを提案している。
　【００２４】
　このような本出願人の電気コネクタによれば、従来のように、強度低下の原因となる端子係止具の取付部をコネクタハウジングの前面に設ける必要がなくなり、コネクタハウジングの強度を十分確保することができる。
　しかし、端子係止具が櫛歯状であったため、該端子係止具の強度が低下してしまうという問題があった。
　【００２５】
　本発明は、上記問題点に鑑みてなされたものであり、コネクタハウジングと端子係止具の構造的重複を極力排除することにより、材料の有効利用と小型化を図ることができ、また、構成の簡単化と強度の向上等を図ることができる電気コネクタの提供を目的とする。
　【００２６】
　【課題を解決するための手段】
　上記目的を達成するため、請求項１記載の電気コネクタは、コネクタハウジング，端子係止具，前記コネクタハウジングに対する前記端子係止具の仮ロック手段及び本ロック手段を備え、前記コネクタハウジングが、その上壁と下壁の間を水平方向に仕切る一以上の中間壁と、前記上壁と前記下壁の間を垂直方向に仕切る二以上の隔壁と、これら中間壁と隔壁によって格子状に仕切られた二段以上の端子収容室と、これら端子収容室に収容された端子金具を個別に一次係止する複数の第一係止部と、前記下壁の前後方向における中間部において前記下壁から全ての前記中間壁及び最上段を除く全ての前記隔壁を貫通し、最上段の前記端子収容室に連通する一連の貫通空間とを有し、前記端子係止具が、該コネクタハウジングから前記貫通空間として欠如した部分とほぼ対応する格子状となっており、前記貫通空間に完全挿入されたとき、前記下壁及び前記中間壁の欠如した部分を補う二以上の水平な蓋体と、前記隔壁の欠如した部分を補う二以上の垂直な隔壁板と、全ての前記端子収容室内に一次係止された前記端子金具に当接し、これら端子金具を二次係止する第二係止部とを有し、
前記端子係止具の前記第二係止部が、前記蓋体における全ての前記端子収容室に対応する位置に形成されるとともに、前記端子金具の前記端子収容室への挿入方向を向く当接面を有し、前記貫通空間に前記端子係止具を完全挿入させたとき、該当接面が前記端子金具に当接し、
　【００２７】
　このような構成によれば、貫通空間としてコネクタハウジングから欠如した部分と、該貫通空間に挿入される端子係止具とをほぼ同じ構造としてあるので、これらコネクタハウジングと端子係止具の構造的重複をなくすことができる。
　また、このような構造的重複の排除により、端子係止具をコネクタハウジングより一段少なくすることができる。
　この結果、コネクタハウジングと端子係止具の材料の有効利用と小型化を図ることができる。
　【００２８】
　さらに、コネクタハウジングの貫通空間に端子係止具を挿入する構成としてあるので、従来のような薄肉の取付部を設ける必要がなくなり、コネクタハウジングの構成の簡単化と強度の向上を図ることができる。
　これに加え、端子係止具が、水平な蓋体と垂直な隔壁板とを縦横に交差させた格子状となっているので、該端子係止具の強度を十分確保することができる。
　【００２９】
　
また、
　【００３０】
　請求項
２
　【００３１】
　このような構成によれば、端子収容室内の端子金具に第二係止部が二ヶ所以上で当接し、該端子金具を多重係止することができる。
　したがって、より確実に該端子金具の後抜けを防止することができる。
　【００３２】
　請求項
３
　【００３３】
　このような構成によれば、端子係止具の仮ロックや本ロックが外衝等によって不用意に解除されることがなくなり、また、電気コネクタのデザイン上の制約をなくし、美的外観を向上させることもできる。
　【００３４】
　【発明の実施の形態】
　以下、本発明の電気コネクタの一実施形態について、図面を参照しつつ説明する。
　図１は本発明に係る電気コネクタを示す要部分解斜視図である。図２は図１の電気コネクタをＡ−Ａ線に沿って切断し上下反転させた要部分解斜視図である。
　【００３５】
　図１において、本実施形態の電気コネクタは、合成樹脂製のコネクタハウジング（雄コネクタハウジング）１０と端子係止具２０、及び端子金具（雌端子）３０からなっている。
　【００３６】
　コネクタハウジング１０は、その上壁１０ａと下壁１０ｃの間を、水平方向に設けられた一の中間壁１０ｂと、垂直方向に設けられた複数の隔壁１０ｄ…（図２参照）とによって縦横に仕切ることにより、格子状に仕切られた複数の端子収容室１１Ａ，１１Ｂを上下二段に形成した構成としてある。
　【００３７】
　各端子収容室１１Ａ，１１Ｂの内部には、これら端子収容室１１Ａ，１１Ｂに収容された端子金具３０を個別に一次係止する第一係止部（可撓係止腕）１２がそれぞれ一体成形してある。
　【００３８】
　コネクタハウジング１０の内部には、図１及び図２に示すように、下壁１０ｃから下段の隔壁１０ｄ及び中間壁１０ｂを貫通して、上段の端子収容室１１Ａに連通する貫通空間Ｓが形成してある。
　【００３９】
　該貫通空間Ｓが下壁１０ｃ及び中間壁１０ｂを貫通することにより、これら下壁１０ｃ及び中間壁１０ｂがそれぞれ部分的に欠如し、該欠如部分が矩形の窓Ｓ１，Ｓ２となる。
　【００４０】
　図２において、貫通空間Ｓの一側である下壁１０ｃの一辺には、端子係止具２０を仮ロック位置と本ロック位置に位置決めするための段部１３が設けてある。
　【００４１】
　また、貫通空間Ｓの他側には、下壁１０ｃから中間壁１０ｂに垂直に延びる複数の溝部１４，１４…が一定間隔で形成してある。
　そして、これら溝部１４，１４…内には、コネクタハウジング１０（貫通空間Ｓ）に対する端子係止具２０の本ロック手段として、フック状のロッキングアーム１５，１５…が一体成形してある。
　【００４２】
　さらに、コネクタハウジング１０に対する端子係止具２０の仮ロック手段として、貫通空間Ｓの左右両側に受座１６，１６を設けるとともに、中間壁１０ｂの裏面に複数のストッパ１７，１７…を一定間隔で設けてある。
　【００４３】
　図１及び図２において、端子係止具２０は、コネクタハウジング１０の下壁１０ｃの前後方向における中間部において一連の貫通空間Ｓとして欠如した部分とほぼ一致する格子状となっている。
　具体的に、端子係止具２０は、貫通空間Ｓに完全挿入されたとき、下壁１０ｃ及び前記中間壁１０ｂの欠如した部分（窓Ｓ１，Ｓ２）補う二枚の水平な蓋体２１，２２と、隔壁１０ｄの欠如した部分を補う複数の垂直な隔壁板２３…と、これら隔壁板２３によって仕切られた下段の端子収容室１１Ｂに対応する複数の開口部２４…と、全ての端子収容室１１Ａ，１１Ｂ内に一次係止された端子金具３０に当接し、これら端子金具３０を二次係止する複数の第二係止部２５…とからなっている。
　【００４４】
　第二係止部２５は、第一及び第二蓋体２１，２２における全ての端子収容室１１Ａ，１１Ｂに対応する位置に形成してある。
　また、第二係止部２５は、図１中の拡大図に示すように、係止突起２５Ａと、その後方両側に設けた二つの係止壁２５Ｂ，２５Ｂとからなっている。
　これら係止突起２５Ａと係止壁２５Ｂ，２５Ｂは、それぞれ端子金具３０の端子収容室１１Ａ，１１Ｂへの挿入方向を向く当接面（すなわち、コネクタハウジング１０の前方を向く面）２５ａと２５ｂ，２５ｂを有する。
　【００４５】
　これら係止突起２５Ａと係止壁２５Ｂ，２５Ｂは、貫通空間Ｓに端子係止具２０を完全挿入させたとき、それぞれの当接面２５ａ，２５ｂ，２５ｂを端子金具３０に当接させ、該端子金具３０を多重係止する。
　【００４６】
　端子係止具２０の正面側において、第一蓋体２１を第二蓋体２２よりも前方に突出させてあり、その突出端には、コネクタハウジング１０の段部１３に対応する段部２６が設けてある。
　【００４７】
　図１に示すように、端子係止具２０の最も外側の隔壁板２３，２３には、仮ロック手段として、コネクタハウジング１０の受座１６，１６に係合する突起２７，２７が設けてある。
　また、図２に示すように、第二蓋体２２の前端には、仮ロック手段として、コネクタハウジング１０の各ストッパ１７に当接する段部２８が設けてある。
　【００４８】
　同じく、図２に示すように、端子係止具２０の背面には、本ロック手段として、コネクタハウジング１０の各ロッキングアーム１５に係合する突条２９，２９…が一定間隔で設けてある。
　【００４９】
　図１において、端子金具３０は、金属板を切り起こし加工した構成となっており、コネクタハウジング１０の可撓係止腕１２に対する電気接触部３１と、端子係止具２０の係止壁２５Ａに対する係止孔３２と、同じく端子係止具２０の係止壁２５Ｂ，２５Ｂに対する一対の係止片（スタビライザ）３３，３３とを有している。
　【００５０】
　次に、上記構成からなる本電気コネクタにおける端子金具の係止動作について、図３（ａ）〜（ｃ）及び図４（ａ）〜（ｃ）を参照しつつ説明する。
　【００５１】
　図３は係止動作中のコネクタハウジングと端子係止具の状態を示す一連の断面図であり、同図（ａ）は端子係止具の仮ロック状態，同図（ｂ）は端子係止具の仮ロック状態から本ロック状態への移行状態，同図（ｃ）は端子係止具の本ロック状態を示すものである。
　【００５２】
　また、図４は係止動作中のコネクタハウジングと端子係止具及び端子金具の状態を示す一連の断面図であり、同図（ａ）は端子係止具の仮ロック状態，同図（ｂ）は端子係止具の仮ロック状態から本ロック状態への移行状態，同図（ｃ）は端子係止具の本ロック状態を示すものである。
　【００５３】
　なお、図３（ａ）〜（ｃ）及び図４（ａ）〜（ｃ）は、いずれもコネクタハウジングと端子係止具を上下反転させて図示している。
　【００５４】
　まず、図３（ａ）に示すように、コネクタハウジング１０の貫通空間Ｓに端子係止具２０を挿入する。
　すると、第一蓋体２１の段部２６が、下壁１０ｃの段部１３の最上段に当接するとともに、第二蓋体２２の段部２８が、中間壁１０ｂのストッパ１７に当接し、これと同時に、隔壁板２３両側の突起２７，２７（図１参照）が、貫通空間Ｓ両側の受座１６，１６（図２参照）と係合する。
　これにより、端子係止具２０が、途中挿入された状態でコネクタハウジング１０に仮ロックされる。
　【００５５】
　なお、端子係止具２０の貫通空間Ｓへの挿入時には、端子係止具２０の突条２９と、コネクタハウジング１０のロッキングアーム１５とが互いに摺接し合うので、これらが互いに干渉して端子係止具２０の挿入を妨げることがない。
　【００５６】
　このような仮ロック状態では、図４（ａ）に示すように、端子係止具２０の開口部２４が、コネクタハウジング１０の下段（図中上段）の端子収容室１１Ｂに連通し、かつ、端子係止具２０の第二係止部２５（係止突起２５Ａ，係止壁２５Ｂ）が、上下段の端子収容室１１Ａ，１１Ｂに干渉しない状態となる。
　これにより、各端子収容室１１Ａ，１１Ｂへの端子金具３０の挿抜が許容される。
　【００５７】
　そして、各端子収容室１１Ａ，１１Ｂ内に端子金具３０を挿入すると、端子金具３０の電気接触部３１の肩部が、各端子収容室１１Ａ，１１Ｂ内の第一係止部１２により個別に一次係止される。
　【００５８】
　次いで、図３（ｂ）に示すように、第一蓋体２１を矢印Ｐ方向に押して、端子係止具２０を水平移動させると、前記段部２６と段部１３、及び、前記段部２８とストッパ１７が互いに離れた状態になるとともに、前記突条２９がロッキングアーム１５を撓わませる。
　これにより、端子係止具２０の本ロック状態への移行が可能となる。
　【００５９】
　このとき、図４（ｂ）に示すように、端子係止具２０の係止突起２５Ａが、端子金具３０の係止孔３２の上方に位置するとともに、係止壁２５Ｂ，２５Ｂが、端子金具３０の係止片３３，３３の後部上方に位置する。
　【００６０】
　その後、図３（ｃ）に示すように、第一蓋体２１を矢印Ｑ方向に押して、端子係止具２０を垂直移動させると、端子係止具２０が貫通空間Ｓに完全挿入され、前記突条２９が弾性復帰したロッキングアーム１５に本ロックされる。
　【００６１】
　このような本ロック状態では、図４（ｃ）に示すように、前記段部２６が次の段部１３に当接し、端子係止具２０が位置決めされ、コネクタハウジング１０の欠如部分である窓Ｓ１，窓Ｓ２，隔壁１０ｄが、端子係止具２０の第一蓋体２１，第二蓋体２２，隔壁板２３によってそれぞれ補われるとともに、下段の端子収容室１１Ｂに開口部２４が連通する。
　【００６２】
　これと同時に、端子係止具２０の係止壁２５Ｂが、端子金具３０の係止孔３２内に入り、その当接面２５ａ（図１中の拡大図参照）を該係止孔３２の孔縁に当接させるとともに、係止壁２５Ｂ，２５Ｂが、その当接面２５ｂ，２５ｂ（図１中の拡大図参照）を端子金具３０の係止片３３，３３の後部に当接させる。
　【００６３】
　これにより、各端子収容室１１Ａ，１１Ｂに収容された端子金具３０が、係止突起２５Ａと係止壁２５Ｂ，２５Ｂによって多重係止（第一係止部１２との関係においては二次係止）され、端子金具３０の後抜けが阻止される。
　【００６４】
　なお、実際の端子係止具２０の仮ロック状態から本ロック状態への移行は、図３（ｂ），（ｃ）に示す矢印Ｐと矢印Ｑの合成力により、図３（ａ）における第一蓋体２１を斜め方向に押し下げれば、一動作で円滑に行なうことができる。
　【００６５】
　また、いずれかの端子収容室１１Ａ，１１Ｂに端子金具３０が不完全挿入された場合は、端子係止具２０を仮ロック状態から本ロック状態へ移行させることができず、これによって、該端子金具３０の挿入不良を検出することができる。
　【００６６】
　さらに、端子係止具２０のロック状態を解除する場合は、図３（ｃ）において、溝部１４にドライバーのような治具を差し込み、該治具によってロッキングアーム１５を撓ませて、端子係止具２０を引き抜けばよい。
　【００６７】
　このような本実施形態の電気コネクタによれば、貫通空間Ｓとしてコネクタハウジング１０から欠如した部分と、該貫通空間Ｓに挿入される端子係止具２０とをほぼ同じ構造としてあるので、これらコネクタハウジング１０と端子係止具２０の構造的重複をなくすことができる。
　また、かかる構造的重複の排除により、コネクタハウジング１０の上下二段の端子収容室１１Ａ，１１Ｂに対して、端子係止具２０の開口部２４を一段少なくすることができる。
　【００６８】
　この結果、コネクタハウジング１０と端子係止具２０の材料の有効利用と小型化を図ることができる。
　また、これと同時に、本実施形態の電気コネクタは、下記のような効果も奏する。
　【００６９】
　第一に、コネクタハウジング１０の貫通空間Ｓに端子係止具２０を挿入する構成としてあるので、従来のような薄肉の取付部を設ける必要がなくなり、コネクタハウジング１０の構成の簡単化と強度の向上を図ることができる。
　また、端子係止具２０が、水平な第一及び第二蓋体２１，２２と、垂直な隔壁板２３とを縦横に交差させた格子状となっているので、該端子係止具２０の強度を十分確保することができる。
　したがって、電気コネクタ全体の強度を向上させることができる。
　【００７０】
　第二に、端子係止具２０の第二係止部２５が、三つの当接面２５ａ，２５ｂ，２５ｂを有するので、各端子収容室１１Ａ，１１Ｂに収容された端子金具３０を二ヶ所以上で多重係止することができ、より確実に該端子金具の後抜けを防止することができる。
　【００７１】
　第三に、端子係止具２０の仮ロック手段である受座１６，ストッパ１７，突起２７、及び、端子係止具２０の本ロック手段であるロッキングアーム１５，突条２９が、コネクタハウジング１０の内部で端子係止具２０を仮ロック及び本ロックする構成としてあるので、該端子係止具２０の仮ロックや本ロックが外衝等によって不用意に解除されることがなくなり、また、電気コネクタのデザイン上の制約をなくし、美的外観を向上させることもできる。
　【００７２】
　なお、本発明の電気コネクタは上述した実施形態に限定されるものではない。
　例えば、上記実施形態では、コネクタハウジング１０に複数の端子収容室１１Ａ，１１Ｂを上下二段に行列配置した場合について説明したが、端子収容室が上下三段以上の場合も、端子係止具２０の開口部２４を、これら端子収容室に対して一段少なくして本発明を適用することができる。
　【００７３】
　【発明の効果】
　以上のように、本発明の電気コネクタによれば、コネクタハウジングと端子係止具の構造的重複を極力排除することにより、材料の有効利用と小型化を図ることができ、また、端子係止具の構成の簡単化と格子形状により強度の向上等を図ることができる。
【図面の簡単な説明】
　【図１】
　本発明に係る電気コネクタを示す要部分解斜視図である。
　【図２】
　図１の電気コネクタをＡ−Ａ線に沿って切断し上下反転させた要部分解斜視図である。
　【図３】
　二重係止動作中のコネクタハウジングと端子係止具の状態を示す一連の断面図であり、同図（ａ）は端子係止具の仮ロック状態，同図（ｂ）は端子係止具の仮ロック状態から本ロック状態への移行状態，同図（ｃ）は端子係止具の本ロック状態を示すものである。
　【図４】
　二重係止動作中のコネクタハウジングと端子係止具及び端子金具の状態を示す一連の断面図であり、同図（ａ）は端子係止具の仮ロック状態，同図（ｂ）は端子係止具の仮ロック状態から本ロック状態への移行状態，同図（ｃ）は端子係止具の本ロック状態を示すものである。
　【図５】
　従来の電気コネクタを構成するコネクタハウジングと端子係止具を示す分解斜視図である。
　【図６】
　従来の電気コネクタの二重係止動作を説明するための一連の斜視図であり、同図（ａ）は端子係止具の仮ロック状態，同図（ｂ）は端子係止具の本ロック状態を示すものである。
　【符号の説明】
　１０　　　　　　　　　　コネクタハウジング
　１０ａ　　　　　　　　　上壁
　１０ｂ　　　　　　　　　中間壁
　１０ｃ　　　　　　　　　下壁
　１０ｄ　　　　　　　　　隔壁
　１１Ａ　　　　　　　　　端子収容室（上段）
　１１Ｂ　　　　　　　　　端子収容室（下段）
　１２　　　　　　　　　　第一係止部（可撓係止腕）
　２０　　　　　　　　　　端子係止具
　２１　　　　　　　　　　第一蓋体
　２２　　　　　　　　　　第二蓋体
　２３　　　　　　　　　　隔壁板
　２４　　　　　　　　　　開口部
　２５　　　　　　　　　　第二係止部
　２５Ａ　　　　　　　　　係止突起
　２５Ｂ　　　　　　　　　係止壁
　２５ａ，２５ｂ　　　　　当接面
　３０　　　　　　　　　　端子金具
　３１　　　　　　　　　　電気接触部
　３２　　　　　　　　　　係止孔
　３３　　　　　　　　　　係止片
　Ｓ　　　　　　　　　　　貫通空間
　Ｓ１，Ｓ２　　　　　　　窓